(57)【特許請求の範囲】
【請求項１】
空間を構成する壁材に機能部品を取り付けるための機能部品の取付構造であって、
前記壁材が、基材と、該基材を被覆する金属板と、から成る壁パネルであり、
前記機能部品を支持する筐体を備え、
前記筐体は、前記壁材に形成された壁開口部に前記空間の外方側から嵌め込まれるとともに、前記壁材の裏面に重なって固定される被固定部が設けられ、
前記筐体は、前記壁開口部に嵌め込まれる筐体本体と、該筐体本体から前記壁開口部の端縁よりも外方側に延出して前記被固定部を構成する延出片と、を有して形成され、
前記壁パネルの裏面には、前記被固定部を固定する固定部が設けられ、
前記固定部は、前記壁パネルの前記基材に設けられていることを特徴とする機能部品の取付構造。
【請求項２】
前記延出片が、前記壁開口部の周辺に係止可能に構成されることを特徴とする請求項１記載の機能部品の取付構造。
【請求項３】
前記延出片は、前記筐体本体の周縁において同一辺上ではない少なくとも２箇所に設けられていることを特徴とする請求項２記載の機能部品の取付構造。
【請求項４】
前記壁パネルの裏面には、前記金属板の一部により構成された前記固定部が設けられていることを特徴とする請求項１〜３のいずれか一項に記載の機能部品の取付構造。
【請求項５】
前記壁パネルの裏面には、補強部材によって構成された前記固定部が設けられていることを特徴とする請求項１〜４のいずれか一項に記載の機能部品の取付構造。
【請求項６】
前記壁パネルが、浴室壁面を構成するものであり、
請求項１乃至請求項５のうちいずれか一項に記載の機能部品の取付構造によって前記機能部品が前記壁パネルに取り付けられたことを特徴とする浴室ユニット。
【発明の詳細な説明】
【技術分野】
【０００１】
本発明は、壁材に形成された壁開口部に機能部品を取り付けるための機能部品の取付構造、及び、この機能部品の取付構造によって機能部品が壁パネルに取り付けられた浴室ユニットに関する。
【背景技術】
【０００２】
従来、浴室の壁にテレビ受像機等の機能部品を取り付けるための構造が提案されている（例えば、特許文献１参照）。特許文献１に記載されたテレビ受像器の取付構造は、浴室の立上り壁に埋設されるとともに、テレビ受像機を収容するケースと、このケースの浴室内側を覆う蓋体と、を備え、ケースには、テレビ受像器を収納する収納凹部と、立上り壁の浴室内方側の面に当接するフランジ片と、が形成されている。このケースは、浴室内方側から立上り壁の開口部に挿入され、フランジ片が立上り壁の開口部に係止されることで、立上り壁に支持されるように構成されている。
【先行技術文献】
【特許文献】
【０００３】
【特許文献１】特許第２８５０３６７号公報
【発明の概要】
【発明が解決しようとする課題】
【０００４】
しかしながら、特許文献１に記載されたような従来の取付構造は、ケースが浴室内方側から立上り壁の開口部に挿入され、フランジ片が係止されて、テレビ受像器が取り付けられていたから、テレビ受像器が取り付けられた状態で、フランジ片が、空間内方側に露出しているため、浴室ユニットの美観を損なっていた。また、例えば、フランジ片の開口部周辺への係止が外れた際には、テレビ受像器を収容したケースが、浴室内方側に脱落する可能性があった。
【０００５】
本発明の目的は、壁材の美観の維持を図りつつ、機能部品の浴室内方側への脱落を防止することができる機能部品の取付構造、及び、浴室ユニットを提供することにある。
【課題を解決するための手段】
【０００６】
本発明の機能部品の取付構造は、空間を構成する壁材に機能部品を取り付けるための機能部品の取付構造であって、前記壁材が、基材と、該基材を被覆する金属板と、から成る壁パネルであり、前記機能部品を支持する筐体を備え、前記筐体は、前記壁材に形成された壁開口部に前記空間の外方側から嵌め込まれるとともに、前記壁材の裏面に重なって固定される被固定部が設けられ、前記筐体は、前記壁開口部に嵌め込まれる筐体本体と、該筐体本体から前記壁開口部の端縁よりも外方側に延出して前記被固定部を構成する延出片と、を有して形成され、前記壁パネルの裏面には、前記被固定部を固定する固定部が設けられ、前記固定部は、前記壁パネルの前記基材に設けられていることを特徴とする。
【０００７】
この構成によれば、筐体が、空間の外方側から壁材に形成された壁開口部に固定され、筐体には、壁材の裏面に重なって固定される被固定部が設けられていることで、例えば、地震等の振動により壁材と筐体の被固定部との固定が外れた場合に、筐体が空間の外方側へ脱落することがあっても、空間の内方側への脱落を防止することができる。さらに、筐体の被固定部が、壁材の裏面側で固定されていることで、当該被固定部が空間の内方側に露出することなく、壁材の美観を維持することができる。
【０００８】
さらに、前記延出片が、前記壁開口部の周辺に係止可能に構成されることが好ましい。
【０００９】
この構成によれば、延出片が、壁開口部の周辺に係止可能に構成されるとともに、該延出片によって被固定部が構成されている。この延出片が、壁開口部の端縁よりも外方側に延出形成されているから、延出片が、壁開口部に係止される又は壁材の裏面に重ねて固定されることにより、筐体の空間の内方側への脱落を十分に防止することができる。さらに、延出片が、筐体本体から壁開口部の端縁よりも外方側に延出形成されているから、係止部又は被固定部が空間の内方側に露出することなく、壁材の美観を十分に維持することができる。
【００１０】
また、本発明の機能部品の取付構造では、延出片は、筐体本体の周縁において同一辺上ではない少なくとも２箇所に設けられていることが好ましい。
【００１１】
この構成によれば、延出片が、筐体本体の周縁において同一辺上ではない少なくとも２箇所に設けられていることで、空間の内方側への脱落を十分に防止することができる。
【００１２】
また、本発明の機能部品の取付構造では、前記壁パネルの裏面には、前記金属板の一部により構成された前記固定部が設けられていることが好ましい。
【００１３】
この構成によれば、壁材は、基材と、該基材を被覆する金属板と、を有して構成され、壁材の裏面には、金属板の一部により構成されて被固定部を固定する固定部が設けられている。ここで、機能部品やこれを支持する筐体等の重量物を支持するためには、壁材に相応な強度が求められることとなるが、金属板の一部により固定部が構成されていることで、固定部の強度を確保することができ、壁材に力が作用した際の壁開口部の周囲の変形を抑制することができる。さらに、このような固定部が設けられていることで、壁開口部を形成した壁材の剛性低下を防ぐことができる。ここで、機能部品やこれを支持する筐体等の重量物を支持するためには、壁材に相応な強度が求められることとなるが、固定部として金属板が設けられていることにより、壁厚を大きくする等の壁材の改造を不要としてコストの抑制を図ることができる。
【００１４】
また、本発明の機能部品の取付構造では、前記壁パネルの裏面には、補強部材によって構成された前記固定部が設けられていることが好ましい。
【００１５】
この構成によれば、壁材の裏面には、補強部材によって構成されて、被固定部を固定する固定部が設けられていることで、固定部の強度を確保することができる。
【００１６】
また、本発明の浴室ユニットは、前記壁パネルが、浴室壁面を構成するものであり、請求項１乃至請求項５のうちいずれか一項記載の機能部品の取付構造によって前記機能部品が前記壁パネルに取り付けられたことを特徴とする。
【００１７】
このような本発明の浴室ユニットによれば、例えば、地震等の振動により壁パネルの固定部と筐体との固定が外れた場合に、筐体が空間外方側へ脱落することはあっても、浴室内方側への脱落を防止することができる。さらに、筐体の被固定部が、壁材の裏面に固定されていることで、当該被固定部が空間の内方側に露出することなく、壁材の美観を維持することができる。
【発明の効果】
【００２０】
以上のような本発明の機能部品の取付構造、及び、浴室ユニットによれば、筐体又は機能部品ユニットが、空間の外方側から壁材に形成された壁開口部に固定され、筐体又は機能部品ユニットには、壁材の裏面に重なって固定される被固定部が設けられていることで、筐体又は機能部品ユニットの空間の内方側への脱落を防止することができるとともに、筐体又は機能部品ユニットの被固定部が空間の内方側に露出することなく、壁材の美観を維持することができる。
【図面の簡単な説明】
【００２１】
【図１】本発明の一実施形態に係る浴室の一部を示す斜視図である。
【図２】前記浴室の一部を分解して示す分解斜視図である。
【図３】前記浴室に設けられる機能部品の取付構造を示す分解斜視図である。
【図４】前記機能部品の取付構造を示す縦断面図である。
【図５】前記機能部品の取付構造を分解して示す断面図である。
【図６】（Ａ）（Ｂ）（Ｃ）は、前記機能部品の取付構造の変形例を示す縦断面図である。
【発明を実施するための形態】
【００２２】
以下、本発明の実施形態を図面に基づいて説明する。本実施形態の浴室ユニット（浴室）１は、図１、２に示すように、床躯体上に束等を介して支持された浴槽２及び洗い場床（防水パン）３と、浴槽２の端縁及び洗い場床３の端縁から立ち上がって設けられた立上部４（図２参照）と、立上部４から立設された複数の柱材としてのポスト５（図２参照）と、隣り合うポスト５間に亘って支持されて浴室内壁面を構成する複数の壁パネル６と、複数のポスト５の頂部を連結して設けられたつなぎ梁７（図２参照）と、つなぎ梁７に支持される図示しない天井パネルと、図示しない浴室出入口や窓等と、を備えて構成されている。また、洗い場の壁面には、鏡８が取り付けられ、その他に、図示しないカウンターや棚、照明器具、水栓金具、カラン、シャワー等が設けられる。
【００２３】
なお、以下では、壁パネル６の面直交方向を見込方向と記し、この見込方向と直交する面内方向を見付方向と記す場合があり、特に、ポスト５等の長尺部材においては、その材軸方向（長手方向）及び見込方向に直交する方向を見付方向として記すことがある。
【００２４】
ポスト５は、溶融亜鉛めっき鋼板などから曲げ加工及び切断加工によって製作され、断面コ字形や断面Ｃ字形に形成されている。このポスト５は、その下端部が浴槽２や洗い場床３の立上部４にブラケット等で固定され、上端部がつなぎ梁７によって隣り合うポスト５の上端部と連結されている。ポスト５は、浴室ユニット１の角部に設けられるコーナーポスト５Ａと、隣り合う壁パネル６が平面的に連続した位置に設けられる平ポスト５Ｂと、を有して構成されている。
【００２５】
壁パネル６は、例えば、鋼板パネルで構成されている。鋼板パネルは、浴室内部側に適宜な化粧面を有する金属板としての鋼板６Ａ（図４参照）と、この鋼板６Ａの裏面に貼付される石膏ボードや発泡ウレタン等の基材としての断熱材６Ｂと、を有し、取付部位に応じた適宜な幅寸法及び高さ寸法に形成されている。鋼板パネルの鋼板６Ａには、その左右両側の端縁から見込方向裏面側に突出し、その先端から見付方向内側かつ浴室内部側に折り返された図示しない被係止部が形成されている。この鋼板パネルは、被係止部がポスト５の図示しない係止片に係止されることで、左右のポスト５間に亘って取り付けられている。
【００２６】
複数の壁パネル６のうち、浴槽２の一方側の短辺２Ａに対応する位置の壁パネル６１には、その外周縁から離隔した位置に壁開口部６３が形成されている。壁開口部６３は、壁パネル６１において、浴槽２の短辺２Ａ方向の中間部において、上下方向（鉛直方向）の中間部よりも下方側に設けられている。この壁開口部６３は、矩形状に連続する内周辺（上辺６３Ａ、下辺６３Ｂ、左右の縦辺６３Ｃ、６３Ｄ）を有して構成されている。また、浴室外方側（壁パネル６１の裏面側）の壁開口部６３の周辺部には、後述する筐体３０の延出片３４が固定されている。以下では、壁パネル６１において延出片３４が固定される位置を「固定部」と記し、符号６０（図４参照）を付す。本実施形態において、固定部６０は、壁パネル６を構成する断熱材６Ｂに設けられている。即ち、固定部６０は断熱材６Ｂの一部から構成されている。なお、以下では、壁パネル６１の浴室内部側の表面を単に「表面」と記し、壁パネル６１の表面と反対側の面であるとともに浴室の外方側の面を単に「裏面」と記す場合がある。
【００２７】
以上の浴室ユニット１には、図３にも示すように、機能部品としての映像表示部Ｔを浴室壁に取り付けるための機能部品の取付構造１０が設けられている。この取付構造１０は、前記壁開口部６３と、映像表示部Ｔを収容しつつ壁開口部６３の浴室の外方側から嵌め込まれて固定される筐体３０と、を備えて構成されている。映像表示部Ｔは、映像表示を行う電子機器であり、液晶表示部、有機ＥＬ表示部、ＬＥＤ表示部等の映像表示部を持つ機器であり、テレビ機器として、図示しない電源装置やテレビアンテナ、チューナー、録画装置、スピーカー等に有線あるいは無線によって接続されてもよい。
【００２８】
筐体３０は、全体箱状に形成されるとともに映像表示部Ｔの前面側に開口３０Ａを有した筐体本体３１と、この筐体本体３１の内部側から開口３０Ａを覆う透光性を有したカバー部材としての透明板３２と、を有して構成されている。筐体本体３１は、壁開口部６３の内側に挿通可能となるように壁開口部６３と略同じ大きさ、又は、壁開口部６３よりも一回り小さい大きさとなるように形成されて、壁開口部６３に嵌め込まれるように形成されている。さらに、壁開口部６３の内周辺６３Ａ、６３Ｂ、６３Ｃ、６３Ｄと筐体本体３１の外周辺３３（上辺３３Ａ、下辺３３Ｂ、左右の縦辺３３Ｃ、３３Ｄ）との間にはシール部材４０が四周連続して介装されている。
【００２９】
また、筐体本体３１は、矩形状に連続する外周辺３３（上辺３３Ａ、下辺３３Ｂ、左右の縦辺３３Ｃ、３３Ｄ）を有するとともに、この四方の外周辺３３には、それぞれ見付方向外方に延出する延出片３４（上延出片３４Ａ、下延出片３４Ｂ、左右の延出片３４Ｃ、３４Ｄ）が形成されている。延出片３４は、壁パネル６１の浴室外方側の裏面に沿って延び、ビス孔１６１、３４１にビス３９が螺合されることで固定部６０に固定されるようになっている。延出片３４が、ビス３９によって固定部６０に固定されることにより、筐体３０が壁パネル６１に固定されるようになっている。このように、筐体３０において、固定部６０に重ねて固定される部位、即ち延出片３４は「被固定部」として機能する。
【００３０】
次に、図４、５も参照して、筐体３０の詳細構造及び取付構造について説明する。筐体本体３１は、図４に示すように、開口３０Ａが形成されて映像表示部Ｔの前面側に設けられる前枠体３６と、映像表示部Ｔの裏面側に設けられて映像表示部Ｔが固定される後枠体３７と、を互いに連結して構成されている。前枠体３６及び後枠体３７は、それぞれステンレス鋼板等の金属板材にプレス加工等を施して形成されている。透明板３２は、板ガラスから形成され、その前面あるいは後面には反射防止コーティング等の適宜な表面処理が施されている。
【００３１】
前枠体３６は、全体矩形枠状に形成されるとともに、筐体３０の外周辺３３の前側部分を構成する前見込面部３６１と、この前見込面部３６１の前端縁から見付方向内側に延びて開口３０Ａの周辺部を構成する開口周辺部３６２と、前見込面部３６１の後端縁から見付方向外側に延びる前延出片３６３と、を有して形成されている。後枠体３７は、前方側が開口した全体箱状に形成されるとともに、筐体３０の外周辺３３の後側部分を構成する後見込面部３７１と、この後見込面部３７１の後端縁に連続した板状の背面部３７２と、後見込面部３７１の前端縁から見付方向外側に延びる後延出片３７３と、を有して形成されている。後枠体３７の背面部３７２には、映像表示部Ｔを固定するための複数の背面固定部３７４が設けられている。
【００３２】
筐体３０の延出片３４は、前延出片３６３と、後延出片３７３と、が前後方向に重ねられるとともに、周方向に複数設けられるビス３９によって固着されて構成されている。前延出片３６３及び後延出片３７３は、固定部６０に重ねて固定される上延出片３４Ａ、下延出片３４Ｂ、左右の延出片３４Ｃ、３４Ｄを有して構成されている。このように構成される延出片３４は、筐体３０の最前部である開口周辺部３６２から前見込面部３６１の前後寸法分（壁パネル６１の厚み寸法分）だけ後退するとともに、筐体３０の最後部である背面部３７２から後見込面部３７１の前後寸法分だけ前進した位置に設けられている。即ち、延出片３４は、筐体３０の外周辺３３において後方側に偏った位置から見付方向外方に突出して形成されている。こうして、筐体３０は、壁パネル６１の壁開口部６３に取り付けられた際に、その開口周辺部３６２と壁パネル６１の浴室内部側の表面とが略面一になるように形成されている。また、延出片３４（前延出片３６３及び後延出片３７３）には、ビス３９が貫通するとともに螺合するビス孔３４１（図５参照）が形成されている。また、透明板３２の前面と開口周辺部３６２との間には止水部材４３が四周連続して介装されている。
【００３３】
筐体３０の組立手順としては、先ず、背面固定部３７４によって後枠体３７に映像表示部Ｔを固定する。一方、前枠体３６において、前面外周に沿って止水部材４３を貼り付けた透明板３２を開口周辺部３６２にセットしておく。このような前延出片３６３と後延出片３７３とをビス３９によって固着することで、映像表示部Ｔ及び透明板３２を筐体本体３１に内蔵した筐体３０が組み立てられるとともに、映像表示部Ｔ及び透明板３２を内蔵した機能部品ユニット１１（図２参照）が組み立てられる。以上のように組み立てられた機能部品ユニット１１は、組み立て工場にて、壁パネル６１の壁開口部６３に取り付けられ、一つのユニットとして予め組み立てられた状態で浴室ユニット１の施工現場まで搬送されて、左右のポスト５Ａ、５Ｂに固定される。
【００３４】
次に、機能部品ユニット１１の壁開口部６３への取り付け手順について説明する。
【００３５】
まず、壁開口部６３に対して浴室の外方側から筐体３０をセットし、その延出片３４のビス孔３４１に浴室の外方側からビス３９を挿通し、この延出片３４を固定部６０に重ねて螺合することによって、固定部６０に筐体３０を固定する。こうして、機能部品ユニット１１の壁開口部６３への取り付けが完了するとともに、機能部品ユニット１１が、壁パネル６１の裏面に重なって浴室の外方側から取り付けられた機能部品付き壁パネル１２（図１参照）が完成する。
【００３６】
この後、機能部品付き壁パネル１２を浴室ユニット１の施工現場に搬送し、施工現場にて、機能部品付き壁パネル１２を左右のポスト５Ａ，５Ｂ間に近付け、各ポスト５Ａ，５Ｂの係止片により壁パネル６１の被係止部を係止させて、壁パネル６１を左右のポスト５間に取り付ける。こうして、機能部品付き壁パネル１２の浴室ユニット１への取り付けが完了する。
【００３７】
このような機能部品付き壁パネル１２は、壁パネル６１と機能部品ユニット１１とが一つのユニットとして予め組み立てられて構成されたものであるから、施工現場にて、機能部品付き壁パネル１２を柱、梁、ポスト５等の支持材に固定する作業のみで、壁面に、映像表示部Ｔ（機能部品）を支持させることができる。ここで、例えば、浴室ユニット１において、建築壁と壁パネル６１との隙間が狭く、作業スペースを確保できないことから機能部品ユニット１１を空間の外方側から取り付けることが困難であったとしても、機能部品付き壁パネル１２が一つのユニットとして予め組み立てられて構成されたものであるから、壁面に映像表示部Ｔを支持させることができる。従って、施工現場にて、機能部品付き壁パネル１２を支持材に固定することで、機能部品ユニット１１が壁パネル６１に浴室ユニット１（空間）の外方向側から取り付けられることとなる。これにより、前述のように、例えば、地震等の振動により壁パネル６１と機能部品ユニット１１との固定が外れた場合に、機能部品ユニット１１が、浴室ユニット１の外方側へ脱落することになったとしても、浴室ユニット１の内方側への脱落を防止することができる。さらに、筐体３０の延出片３４（被固定部）が、壁パネル６１の裏面に固定されていることで、当該延出片３４が浴室ユニット１の内方側に露出することなく、壁パネル６１の美観を維持することができる。
【００３８】
さらに、機能部品付き壁パネル１２は、壁パネル６１と機能部品ユニット１１とが一つのユニットとして予め組み立てられて構成されたものであるから、当該機能部品付き壁パネル１２を壁パネル６１の任意の位置に取り付けることができる。即ち、壁パネル６１における壁開口部６３の形成位置を適宜な位置にすることができる。
【００３９】
上述した実施形態によれば、筐体３０が、浴室ユニット１（空間）の外方側から壁パネル６１（壁材）に形成された壁開口部６３に固定され、筐体３０には、壁パネル６１の裏面に重なって固定される延出片３４（被固定部）が設けられていることで、例えば、地震等の振動により壁パネル６１と筐体３０の延出片３４との固定が外れた場合に、筐体３０が浴室ユニット１の外方側へ脱落することがあっても、浴室ユニット１の内方側への脱落を防止することができる。さらに、筐体３０の延出片３４が、壁パネル６１の裏面側で固定されていることで、当該延出片３４が空間の内方側に露出することなく、壁パネル６１の美観を維持することができる。
【００４０】
なお、本発明は、前記実施形態に限定されるものではなく、本発明の目的が達成できる他の構成等を含み、以下に示すような変形等も本発明に含まれる。
【００４１】
続いて、上述した実施形態の変形例について、図６（Ａ）（Ｂ）（Ｃ）を参照して説明する。図６は、機能部品の取付構造の変形例を示す縦断面図である。図６において、上述した実施形態と同一構成乃至同一機能を有する部分には、同一符号を付して説明を省略する。また、図６において、上述した実施形態とは固定部の構成のみが異なる。
【００４２】
固定部としての固定部６０Ａは、図６（Ａ）に示すように、壁パネル６１Ａを構成する鋼板６Ａに設けられている。壁パネル６１Ａは、鋼板６Ａと、この鋼板６Ａの裏面に貼付される石膏ボードや発泡ウレタン等の断熱材６Ｂと、この断熱材６Ｂの裏面を被覆するとともに鋼板６Ａに連続形成された鋼板６Ｃと、を有して構成されている。本実施形態において、壁パネル６１Ａは、鋼板６Ａ、６Ｃが断熱材６Ｂ全体を被覆するように構成され、固定部６０Ａは鋼板６Ｃ（金属板）によって構成されている。この構成によれば、鋼板６Ｃに固定部６０Ａが設けられていることで、壁パネル６１の強度を確保することができ、壁パネル６１Ａに力が作用した際の壁開口部６３の周囲の変形を抑制することができる。ここで、機能部品やこれを支持する筐体３０等の重量物を支持するためには、壁パネル（壁材）に相応な強度が求められることとなるが、鋼板６Ｃ（金属板）が設けられていることにより、壁厚を大きくする等の壁材の改造を不要としてコストの抑制を図ることができる。
【００４３】
固定部としての固定部６０Ｂは、図６（Ｂ）に示すように、Ｌ字状の取付金具（補強部材）によって構成されている。この固定部６０Ｂは、壁開口部６３の適宜の位置に設けられているとともに当該壁開口部６３の内周辺及びその周辺部に重ねられて、ビス３９により延出片３４Ｂとともに壁パネル６１Ｂに取り付けられるように構成されている。この構成によれば、取付金具（補強部材）が設けられていることで、固定部の固定強度を確保することができる。
【００４４】
固定部としての固定部６０Ｃは、図６（Ｃ）に示すように、金属製の埋め込みナット（補強部材）によって構成されている。固定部６０Ｃは、ビス３９が螺合される位置に、断熱材６Ｂ、即ち壁パネル６１Ｃと一体に埋め込まれている。この構成によれば、埋め込みナット（補強部材）が設けられていることで、固定部の固定強度を確保することができる。
【００４５】
また、前記実施形態では、機能部品が映像表示部Ｔである場合を例示したが、機能部品としては、映像表示部Ｔに限らず、映像表示機能を備えない表示装置であってもよいし、パーソナルコンピュータやゲーム機器、音響機器、冷暖房装置、照明装置、冷蔵庫、時計などの電気機器であってもよい。さらに、機能部品としては、電気機器に限らず、収納装置や鏡（通常の鏡やハーフミラー等）などの浴室付属部品であってもよいし、水槽、絵画、彫刻などの装飾品であってもよく、その品種や品目は特に限定されない。
【００４６】
また、前記実施形態では、映像表示部Ｔ（機能部品）が筐体３０の筐体本体３１に収容された状態で浴室ユニット１に取り付けられる構成であったが、これに限らず、映像表示部Ｔが筐体３０により支持されて固定されていてもよい。即ち、筐体３０が筐体本体３１を有さずともよい。機能部品として、防水性能を必要としないもの、あるいは機能部品そのものが防水性能を有したものである場合には、筐体本体３１に収容されずに浴室内部に露出して設けられていてもよい。また、機能部品を筐体本体３１に収容する場合であっても、この筐体３０において防水性能は必須ではなく、排水性や清掃性を有した筐体など、使用上の問題が生じない範囲で適宜な筐体を採用することは任意である。
【００４７】
また、前記実施形態では、筐体３０の延出片３４が、壁パネル６１の固定部６０に重ねて固定される構成であったが、これに限らず、筐体本体３１が壁パネル６１の固定部６０に直接固定される構成であってもよい。筐体本体３１が壁開口部６３よりも一回り大きくなるように構成されて、その周辺部が固定部６０に重ねて固定される構成であってもよい。その場合には、延出片は省略してもよい。
【００４８】
また、前記実施形態では、延出片３４が、筐体本体３１の四方の外周辺３３（上辺３３Ａ、下辺３３Ｂ、左右の縦辺３３Ｃ、３３Ｄ）それぞれに対応する上延出片３４Ａ、下延出片３４Ｂ、左右の延出片３４Ｃ、３４Ｄを有する構成であったが、これに限らず、延出片は、例えば、筐体本体３１の上辺３３Ａ、下辺３３Ｂ、左右の縦辺３３Ｃ、３３Ｄそれぞれに各２個ずつ間隔をあけて設けられていてもよく、各３個以上設けられていてもよい。
【００４９】
また、前記実施形態では、延出片３４が、上延出片３４Ａ、下延出片３４Ｂ、左右の延出片３４Ｃ、３４Ｄを有する構成であったが、これに限らず、壁パネル６１の固定部６０に固定可能なように、これらの上下左右の延出片３４Ａ、３４Ｂ、３４Ｃ、３４Ｄのうち何れか２以上の延出片から構成されていればよい。また、延出片が、２以上の延出片を有する場合には、２以上の延出片が、筐体本体３１の外周辺３３（周縁）において、同一辺上ではない箇所に設けられていればよい。具体的には、延出片は、筐体本体３１の外周辺３３のうち、隣接する各辺や対向する各辺に設けられていればよい。この構成によれば、延出片が、筐体本体３１の周縁において同一辺上ではない少なくとも２箇所に設けられていることで、浴室ユニット１の内方側への脱落を十分に防止することができる。
【００５０】
また、前記実施形態では、延出片３４を構成する上延出片３４Ａ、下延出片３４Ｂ、左右の延出片３４Ｃ、３４Ｄが、固定部６０に重ねて固定される構成であった。即ち、全ての延出片が被固定部として機能するように構成されていたが、本発明はこれに限らず、延出片のうち何れかが、壁パネル６１の固定部６０に係止可能に構成されていてもよい。例えば、対向する一対の延出片のうち、一方が固定部６０に係止可能に構成され、他方が被固定部として機能してもよい。このように、全ての延出片が被固定部として機能するのではなく、一部が固定部６０に係止可能に構成されていることで、筐体３０を固定部６０に係止して、筐体３０を固定部６０に対して位置決めしておくことができる。従って、被固定部としての延出片３４を固定部６０に固定する際の作業性を良好にすることができる。
【００５１】
また、前記実施形態としては、浴室ユニット１の壁パネル６として、鋼板パネルを例示したが、壁パネルとしては、鋼板パネルに限らず、樹脂パネルやタイルパネル、木質パネル、ガラスパネル、異種材料が積層された複合パネル等であってもよい。このように壁パネルの種別よって厚さ寸法や取付構造も異なることになるが、そのような各種条件に応じて筐体３０の形状が変更されてもよく、このような形状や寸法を変更した構造も本発明に含まれる。
【００５２】
また、壁開口部としては、前記実施形態のように矩形状の開口に限らず、任意形状の開口であってもよい。この際、例えば、壁開口部が円形又は楕円形状の開口である場合、その内周辺のうち上部及び下部を形成する円弧状の辺（上辺及び下辺）の少なくとも一方に沿って延出片の上下の延出片が設けられていればよい。さらに、壁開口部が多角形の開口である場合、上下の延出片は、略水平に設けられるだけでなく、傾斜して設けられてもよいし、途中が屈曲して設けられてもよい。
【００５３】
また、前記実施形態としては、空間を構成する壁材として、浴室ユニット１を構成する壁パネル６、６１の一例を説明したが、これに限定されるものではない。壁パネルを構成する壁材としては、トイレ空間を構成するトイレユニットや、台所を構成するキッチンユニットの壁面を構成するものであってもよく、書斎、子供部屋、リビングルームの壁面を構成するものであってもよい。また、集合住宅の玄関ホールやエレベータホール等のホールの壁面を構成するものであってもよい。
【００５４】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５５】
１                浴室ユニット
６、６１          壁パネル
１０              機能部品の取付構造
１１              機能部品ユニット
１２              機能部品付き壁パネル
３０              筐体
３１              筐体本体
３４              延出片（被固定部）
６０              固定部
６３              壁開口部
Ｔ                映像表示部（機能部品）
【図１】
0006482848.tif 000002
【図２】
0006482848.tif 000003
【図３】
0006482848.tif 000004
【図４】
0006482848.tif 000005
【図５】
0006482848.tif 000006
【図６】
0006482848.tif 000007